(57)【要約】【課題】  金属製ピンセットのような剛性と、軽い操作性とを備え、物体を把持した状態に保持することのできる、熱可塑性合成樹脂による一体成型のピンセットの製造方法とそのピンセットを提供する。【解決手段】  基端部（２２ｃ）を起点として松葉形に２本の狭持片（２３，２４）を開拡状態で延長した合成樹脂製ピンセット（２０）において、前記基部（２２）の近傍に開口間隔調節体（２２ｂ）を形成すると共に、該開口間隔調節体（２２ｂ）の近傍にストッパ（２５）を設け、更に前記狭持片（２３，２４）の先端部の把持先（２３ａ，２３ｂ）の近傍に、該把持先（２３ａ，２３ｂ）の開口間隔を所定間隔に保持する横ズレ防止部（２６）を設けた。【選択図】  図１
2008093241.tif 000002
【特許請求の範囲】
【請求項１】
一端に把持先（２３ａ，２３ｂ）を有する２本の狭持片（２３，２４）の他端にコ字状の基部（２２）を介して一体的に成型した合成樹脂製ピンセットにおいて、
前記コ字状の基部（２２）の基端部（２２ｃ）を、成型収縮によって前記把持先（２３ａ，２３ｂ）の開口間隔に影響を与える厚肉としたことを特徴とする合成樹脂製ピンセット。
【請求項２】
前記コ字状の基部（２２）の基端部（２２ｃ）の近傍に開口した窓（２２ａ）を介して前記狭持片（２３，２４）同士を連結する開口間隔調節体（２２ｂ）を形成し、
前記開口間隔調節体（２２ｂ）は、成型収縮によって前記把持先（２３ａ，２３ｂ）の開口間隔に影響を与える厚肉としたことを特徴とする合成樹脂製ピンセット。
【請求項３】
前記開口間隔調節体（２２ｂ）と基端部（２２ｃ）との間に開口されている窓（２２ａ）に、前記狭持片（２３，２４）同士を連結する柱（２２ｎ）を形成したことを特徴とする合成樹脂製ピンセット。
【請求項４】
前記把持先（２３ａ，２３ｂ）の近傍に該把持先の横ズレ防止部（２６）を設けており、前記横ズレ防止部は、一方の狭持片（２３）に貫通孔（２６ｅ）を有する受入部（２６ａ）と、該受入部から他方の狭持片（２４）に前記受入部に向けて延長したガイド突起部（２６ｂ）で構成されていることを特徴とする請求項１，２又は３記載の合成樹脂製ピンセット。
【請求項５】
前記ガイド突起部（２６ｂ）に係止突起（２６ｄ）と、受入部（２６ａ）に前記係止突起を固定する固定部（２６ｃ）が設けられていることを特徴とする請求項４記載記載の合成樹脂製ピンセット。
【請求項６】
前記２本の狭持片（２３，２４）の対向面に先端が互いに当接するストッパ片（２５，２５）を突出させて形成したことを特徴とする請求項１，２，３，４又は５記載の合成樹脂製ピンセット。
【請求項７】
前記基部（２２）の近傍に肉薄部（２９）ないし幅狭部（２８）を形成したことを特徴とする請求項１，２，３，４，５又は６記載の合成樹脂製ピンセット。
【請求項８】
前記開口間隔調節体（２２ｂ）の肉厚を基端部（２２ｃ）よりも肉厚としたことを特徴とする請求項１，２，３，４，５，６又は７記載の合成樹脂製ピンセット。
【請求項９】
金型内で前記基端部（２２ｃ）の近傍に前記２本の狭持片（２３，２４）に連結された前記把持先（２３ａ，２３ｂ）の開口間隔調節体（２２ｂ）を一体的に形成したピンセットを成型し、前記金型内で成型されたピンセットを排出し、前記開口間隔調節体が内蔵している収縮力によって前記受入部（２６ａ）にガイド突起部（２６ｂ）を嵌入させたことを特徴とする請求項４又は５記載の合成樹脂製ピンセット。
【発明の詳細な説明】
【技術分野】
【０００１】
本発明は、医療分野あるいは電子部品の組立てなどのような各種の用途に使用される軽量な合成樹脂製ピンセットに関する。
【背景技術】
【０００２】
ピンセットは微細な物体や、直接に指先に触れることができないような物体を把持する用途などに使用されているが、例えば、半導体や電子部品の製造工程のように精密で微細な部品などを取扱う場合、あるいは医療分野では手術や治療の際の消毒綿の綿球を把持などの操作に欠かせないものである。
【０００３】
従来から医療関係で使用されているピンセットは金属製で精密なものが使用されている。しかし、合成樹脂製のものはほとんど使用されていない。このピンセットは医者看護師の手指のように扱われる必要があり、特に手術のように指先に摘む物を感ずるような繊細な作業を行う際のピンセットの場合は、その先端の幅が約１〜２ｍｍ程度の極細なものとなっている。
【０００４】
このように精密な先端部を持つピンセットは、二本の先端部が正確に噛合うように熟練した職人の手作業で仕上げられるのが普通である。この繊細なピンセットは、僅かな先端部の変形や本体部分の歪みによって先端部の横ズレが発生することが多い。
【０００５】
また、看護師が病棟にて処置に使用するピンセットは前記の用途の物よりもやや大ぶりのもので先端部の幅は２〜３ｍｍ、長さは２３０〜２４０ｍｍのものが多い。
【０００６】
病院関係に使用されたピンセットの場合は、オートクレーブによる煮沸消毒が行われるのが普通であるが、この高温処理に耐えるためにピンセットの素材としては、耐熱性のあるステンレス鋼やクローム鋼、あるいは軽量化を意図してチタン鋼等で製作したものが使用されている。
【０００７】
周知のように、一般のピンセットは側面視で鋭角的なＶ形ないし松葉形の形状のものが多く使用されているが、これの製造方法は１枚の金属板材料から所定の形状にプレス加工した粗材を中央から折り曲げた折曲式のものが多い。また、２枚のプレス加工した金属片のアタマ（集合部）を溶接した溶接式のものがあり、これは精密用途に多く使用される。
【０００８】
この溶接式ピンセットは高価であり、その理由は高価な材料と、複雑な製造工程にあるといわれている。
【０００９】
その製造工程簡単に説明すると、材料のシャリング・矯正工程（材料のシャリングと、この工程で発生した材料のネジレを修正する修正工程）・バネ付け工程・ピンセットの大まかな形に抜型する抜型工程・マーク入れ工程・溶接工程・研削・整形工程（職人が１本１本研削砥石やヤスリを使用して仕上げる工程）・研磨工程などが必要であると報告されている。しかし、実際の詳細な工程を加えると５７工程から７３工程にも及ぶようである。
【００１０】
医療用途に使用されるピンセットの場合は、高温で殺菌処理される関係で金属製のものが多く使用されているが、消毒処理などの取扱いにおいて変形や歪みが発生するために、これを定期的にメーカーに返却して先端部の補正が必要であり、そのためにこのピンセットの消毒や保守のためにかなりの人員や費用が必要であり、それが経費が嵩む原因の一つとなっている。
【００１１】
（廃棄処分性）
従って、もし、この金属製のピンセットの代わりに合成樹脂成型品からなるピンセットを使用し、その使用後に廃棄処分できれば、前記金属性ピンセットのように殺菌処理や保守調整作業を省略することができるので、この処理に要する人員を削減でき、設備を省略ないし小型のものに変更でき、保守に使用した費用も節減できる。それよりも、衛生的に作業を行うことができる点で好ましい。
【００１２】
いうまでもなく金属製ピンセットは強度が高く、耐熱性・耐久性があり、更に使い慣れている点において便利なものであるが、前記のような高温の消毒などの不可避的な問題点がある。そこでこの欠点を改良するために廃棄処分可能な合成樹脂製ピンセットがいろいろと開発されている。しかし、このピンセットは精度が悪く、その上に把持力が格段に低いことから未だに普及の段階になっていない。
【００１３】
しかし、合成樹脂製ピンセットの特徴は、射出成型によって一挙に製造できるので、金型の精度に問題がなければ大量生産により安価に提供が可能であり、しかも廃棄処分も容易であるので衛生的に使用することができる。
【００１４】
（把持力の弱点）
前記のように合成樹脂製ピンセットは、金属製ピンセットに比較して剛性が格段に弱く、従って把持力が小さい。特に大型のものはピンセットとして把持機能を実質的に有していない場合がある。ピンセットの把持試験の一つに先端部で新聞紙を挟み、その状態で引張った場合、その新聞紙が破れる程度の狭持力を持っているかどうか、あるいは簡単に滑って抜けるかどうかの把持力試験があるが、金属製のものはこれに簡単に合格する。これに対して従来の形状の合成樹脂製ピンセットは、このような把持力を持たせることは到底困難である。
【００１５】
また、金属製ピンセットを使用する場合はピンセット自体の重みを負担する力と、開口弾性力を打ち消しながら目的物を所定の強さ、ないし柔らかさで把持する力を総合的、かつ敏感に感じながら、指先などで押圧する必要がある。従って、このような厄介な操作を長時間使用することは、指先や腕などに疲れが感ずることが多い。
【００１６】
ピンセットを使用する際は本体が元の拡開状態から把持する相殺力が必要であり、更に目的物を把持する把持力を負荷しなければならないので、これが疲れを増大させる原因となる。特に、柔らかく把持する精密作業には不向きである。
【００１７】
これに対して合成樹脂製ピンセットは軽量である上に開口状態を保持する反力が弱いので物体の把持力を手操作で正確に調節することができる点で有利である。
【００１８】
（特許文献に記載されたピンセット）
合成樹脂製ピンセットの構造に関して多数の提案がなされている。
【００１９】
例えば、特許文献１に記載された合成樹脂製ピンセットは、強く狭持しても、狭持状態を確実に維持できることを目的とし、狭持片のうち一方の内面適所に突起を設け、対向面にガイド穴を設け、強く狭持したときに両狭持片の対向状態を不変に維持できるようにしたものである。
【００２０】
また、特許文献２に記載された合成樹脂製の医療用ピンセットは、一方の狭持片に断面が十字形のガイド片を、他方の狭持片に前記ガイド片に係合する２個のガイド部を設け、両者の係合によって狭持片が正確に把持操作ができるようい構成したものである。
【００２１】
更に、特許文献３には、合成樹脂製のピンセットでありながら剛性を高めたものが提案されている。このピンセットにおいては、腰部から延長された２本の脚部の対向面に長手方向の一方に骨状部を、他方に雌ガイド部をそれぞれ形成して互いに係合するように構成したものである。
【００２２】
この構造のピンセットは、例示した他のピンセットに比較すると金属製並の剛性を持たせることができる。しかし、２本の脚部を合わせるために骨状部と雌ガイド部をそれぞれ設けてはいるが、先端部（把持先）の開いている距離が一定しておらず、成型品ごとにバラツキが発生する。また、前記骨状部と雌ガイド部との間にかなりの距離があると、嵌合状態に円滑性を欠き、操作感覚に劣る欠点がある。
【特許文献１】特開平５−１４６４４７号
【特許文献２】特開平６−２５８０６号
【特許文献３】特開２００４−２６１４９４号
【発明の開示】
【発明が解決しようとする課題】
【００２３】
１）前記特許文献１記載の発明は、構造的に剛性が極めて弱くて実用化に問題がある上に、突起とガイド穴とが離れた状態から瞬時に嵌合させなければならないので、円滑な嵌合ができないという問題がある。
【００２４】
２）特許文献２に記載の発明は、２本のアームの中間部に断面十字のガイド片とこのガイド片に当接するガイド部を設けており、そのために構造が複雑になっており、そのために金型に設計上に問題がある上に高価な金型が必要であり、大量生産により安価に提供することができないという問題がある。また、デザイン的にもあまり好ましくない。
【００２５】
３）特許文献３に記載された発明は、脚部の内面に骨部と、この骨部を受入れる雌ガイド部を対向して開口状態で形成しているので、このガイド部材が係合すると骨部の先端部を正確に合致させて案内することができる。また、剛性が大きくなるようにデザインされているので、剛性も他の公知例のものに比較すると実用上は問題がない程度に高い。しかし、先端部の開口状態を安定して保持しにくいという問題がある。
【００２６】
この構造のピンセットは例示した他のピンセットに比較すると金属製なみの剛性を有している。しかし、２本脚部を合わせるために骨状部と雌ガイド部をそれぞれ設けてはいるが、先端部の開いている距離が一定しておらず、成型品ごとにバラツキが発生する。また、前記骨状部と雌ガイド部との間にかなりの距離があると、嵌合状態に円滑性を欠き、操作感覚がやや劣る欠点がある。
【００２７】
（繊細な操作の問題）
金属製ピンセットのような従来のピンセットで物体を狭持する場合は、強く挟んでも破壊の心配がない堅い物体、あるいは病院で使用される綿球のように柔らかくても単に狭持すればよい物体においては先端部の圧力の大小はさほど問題ではなかった。従来のピンセットにおいては、ピンセットの先端部がズレることなく、正確に合致し、正確に接近・離反すればよかった。
【００２８】
しかし、料理に使用される食品、例えば、イクラやキャビアのように弱い力を受けても簡単に潰れてしまうような物体の狭持に金属製ピンセット等従来のピンセットを用いることができない。
【００２９】
その理由は、金属製等の従来のピンセットは、把持先で物体を把持するようにピンセットの基部Ｋ近傍のバネを固くしている。従って、このバネ力に打ち勝つだけの力を加えて狭持片を操作するので、把持先に挟まれた物体に加わる微細な圧力を作業者の指先で感ずることは困難となる。
【００３０】
よって、ピンセットの使用者には、その先端部の微妙な押圧力、つまり、料理人が会席料理のように繊細な食材を箸で挟んで所定の場所に配置するような、食材そのものを挟んだ感覚を手先で感ずることができないのである。
【００３１】
従って、繊細で柔らかい食品の把持のように微妙な感覚を必要とする用途には従来のピンセットは使用することができず、精密作業用金属製ピンセットでも使用することは困難であった。
【００３２】
（合成樹脂製ピンセット共通の課題）
前記特許文献には問題として提起されていないが、合成樹脂成型品には合成樹脂が溶融状態の体積膨張と、この樹脂が冷却されて固体となる場合の収縮（ヒケ）の問題がある。この成型時の収縮は、材料にもよるが、例えばＰＢＴの場合は、１ｍｍの厚さの板を成型する場合は１４〜１６／１０００、また、２．５ｍｍの厚さの板を成型する場合は１８〜２２程度であり、成型品の大きさによってはかなりのものとなる。
【００３３】
図２６は特許文献１に記載されたピンセットの構造を示しているが、これを参照して前記成型品に発生する成型収縮について説明すると、合成樹脂製のピンセット本体１は、基部Ｋ（アタマ）より狭持片２，３（ウデ）が分岐して松葉形に延長され、先端の把持先２ａ，３ａの内面に狭持域Ｔが形成され、前記狭持片２，３の中央部内面に突起４と、この突起４を嵌入するガイド穴５が設けられている。
【００３４】
そして前記二つの把持先２ａ，３ａの内面の狭持域Ｔが距離を挟めるときに、前記突起４とガイド穴５が嵌合して図示しない物体を前記狭持域Ｔで把持するようになっている。
【００３５】
（合成樹脂の成型時における収縮について）
さて、前記ピンセット本体１をナイロンやポリプロピレンなどの工業用熱可塑性樹脂を使用して成型した場合、狭持片２，３の先端の把持先２ａ，３ａが金型内に収容されている状態での間隔が「Ａ」であったとする。そしてこのピンセット本体１を金型より取出すと同時に前記間隔「Ａ」から間隔「Ｂ」へと殆ど瞬時に狭く変化する。
【００３６】
この成型品が金型内で溶融樹脂が凝固する際に、金型の制約により成型品内に発生した収縮エネルギーが、金型の制約が解除されて放出される結果であると推定できるが、この成型収縮に伴って把持先２ａ，３ａの間隔「Ａ」が殆ど瞬時に「Ｂ」へと狭く変化する。このような把持先２ａ，３ａの間隔が狭くなると、物体を狭持しようとしても、把持が困難となることが発生する。
【００３７】
また、殆どのピンセット本体１は、金型より取出すと同時に把持先２ａ，３ａが狭まったが、把持先２ａ，３ａが拡がってしまうこともあった。従って、ピンセット本体１の開口を安定的に生産することができなかった。
【００３８】
なお、前記のように金型から成型品を取出したときに殆ど瞬時に成型品が変形する「成型収縮」と、成型直後の成型品を暫く保管している間に、緩やかに変形していく「経時収縮」とがあるが、前記の方が成型品の形状変化に大きな影響を与える。
【００３９】
従来は、前記のような成型収縮の問題を解消するために、狭持片２，３の開き角を大きくして金型にキャビティを形成する方法が採用される。しかし、この方法ではピンセット１個分のキャビティを形成する金型の面積が大きくなり、金型が大型化するので製作上好ましくない。
【００４０】
そこで、この成型収縮の対策として、ピンセット本体１を成型し、直ちに狭持片２，３の間に当木などを狭持させて「開き角」が所定の形に癖がつくまで保持して矯正する「狭持片矯正作業」を行っている。しかし、この「狭持片矯正作業」は、ピンセット本体の大量生産には全く適さない方法であり、例え矯正ができたとしても、経時的に狭持片の先端部の間隔が次第に変化してくるので、究極的な矯正にはならない。
【００４１】
このように狭持片２，３の先端部の間隔が徐々に変化（縮小）することから、把持先の開口間隔が小さな合成樹脂製ピンセット本体１は、例えば半導体の製造工程などのような高級で精密な作業を行う工程に使用できなかったのである。
【００４２】
（狭持片の開角の変化の考察）
第1の実験例：図２７の図（イ）は、合成樹脂で二つの板片１０，１１の間に小径の小柱１２と大径の大柱１３を一体的に成型した成型テスト品１５（成型直後の形状あるいは金型内の成型品の形を示す）の側面図である。そして図（ロ）は前記図（イ）を金型から取出した直後に成型収縮した成型品１５Ａの形状を示す側面図である。
【００４３】
また、図（ハ）は、図（イ）におけるVI−VI線断面図であり、そして図（ニ）は、図（ロ）におけるVII−VII線断面図であり、大柱１３が１３ａに外径Ｄからｄへと縮小した状態を示している。
【００４４】
さて、図２７の（イ）に示すように、金型内で成型された成型品１５を構成している板片１０，１１は平行であり、また、これらの板片１０，１１の間を連結する小柱１２と大柱１３は図（ロ）の１２ａ，１３ａに示すように直径を縮小すると共にその長さも同時に縮小する。その際、小柱１２の長さの縮小に比較して大柱１３の長さの縮小の割合が大きい。従って、２本の柱１２ａ，１３ａの両端に連結されている板片１０ａ，１１ａは図（ロ）のに示すように点線から実線で示すように「ハ字形」に変形することになる。
【００４５】
つまり、円柱のように直径、あるいは板材のように断面積の異なる部材を二つ並行に並べて成型したとすると、小径あるいは小断面積の部分は成型後に縮小する割合が小さい。しかし、大径ないし大断面積の部分は、前記より縮小する割合がかなり大きいのである。
【００４６】
第２の実験例：図２８は、別のテスト成型品の例を示しており、図（イ）の成型テスト品１７は大径の柱１７ａと２枚の板片１７ｂ、１７ｃで構成されたもので、点線で示した形状は成型収縮したテスト成型品１７Ａを示している。このように柱１７ａの両端に板片１７ｂ、１７ｃを一体成型した場合の収縮は板片１７ｂ，１７ｃが矢印で示すように平行して接近して収縮する。
【００４７】
図２８（ロ）は、板片１８ａをＵ字形に形成し、その板片１８ａの内部、開口端に向かって中間位置に柱状部１８ｂを一体的に形成したものであり、この柱状部１８ｂと板片１８ａとの間に窓１８ｃを開口している。
【００４８】
前記柱状部１８ｂは冷却により幅と厚さが点線で示すように減少すると共に、この柱状部１８ｂと一体となっているＵ形の板片１８ａの前記窓１８ｃから遠い側の端部１８ｄ，１８ｅの距離が縮まり、そして矢印のように曲げられた板片１８ａの自由端側がハ字形に傾斜する。なお、前記のように板片１８ｂを独立させることによって対向する板片１８ａの部分を明確に傾斜させるようにするためである。
【００４９】
前記図２８（イ）及び（ロ）は、テスト成型品１７，１８における成型収縮の明確な現象を示すもので、この成型品の収縮に伴う変形の原理を利用して前記図２６を参照して説明したピンセット本体１の狭持片２，３の基部Ｋの変形を利用して狭持片２，３の開口の駆動力を発生させることができるのである。
【００５０】
図２８（ハ）は、テスト成型品１９を示しており、このテスト成型品１９は、板片１９ａをＵ字形に形成し、その板片１９ａの内部、開口端に向かって中間位置に２つの柱状部１９ｂを一体的に形成したものである。前記２つの柱状部１９ｂと板片１９ａとの間、及び板状部１９ｂ同士の間に窓１９ｃが開口されている。更に、前記２つの柱状部１９ｂは同じ厚みに形成されている。
【００５１】
そして、このテスト成型品１９は、成型後の冷却によって前記テスト成型品１８と同じように自由端側が略ハ字形に傾斜する。
【００５２】
第３実験例：図２９の図（イ）は、略Ｕ字形に形成された板片３２ａの内部に、開口端（自由端）側から小柱３２ｈと大柱３２ｉとを配置して一体的に成型したテスト成型品３２を示すものである。
【００５３】
このテスト成型品３２は、金型内で成型されたときは板片３２ｄと３２ｅとが平行であるが、金型内から取り出されて冷却されると、大柱３２ｉの長さ方向の縮小される割合が小柱３２ｈよりも大きいので、これらの柱３２ｈ，３２ｉの両端に連結されている板片３２ｄ，３２ｅは実線から点線で示すように基端部３２ｇ側が狭まった「ハ字形」に変形する。
【００５４】
図２９の図（ロ）は、前記（イ）の大柱と小柱との配置を逆とするものであり、自由端側から大柱３３ｉ、小柱３３ｈが配置され一体的に成型されたテスト成型品３３である。このテスト成型品３３の場合も、大柱３３ｉは小柱３３ｈよりも長さ方向の成型収縮が大きい。従って、板片３３ｄ，３３ｅは、実線から点線で示すように自由端側が狭まる「ハ字形」に変形する。
【００５５】
上記第１〜３の実験例により、本発明者は、図２９の（イ）のように柱部を配置すると、自由端側（ピンセットでいえば把持先）が拡開し、図２９の（ロ）のように配置すると自由端側（ピンセットでいえば把持先）が狭まるという知見を得、さらに、基端部の近傍に大柱を設けると柱部の成型収縮による変形が大きくなるということを明らかにした。
【００５６】
本発明は、前記成型収縮の現象を巧みに利用し、金型からピンセットを取出したときに、把持先の間隔が縮小するように成型収縮力を発生させたピンセット及びその製造方法を提供するものである。
【課題を解決するための手段】
【００５７】
第１の発明は、一端に把持先（２３ａ，２３ｂ）を有する２本の狭持片（２３，２４）の他端にコ字状の基部（２２）を介して一体的に成型した合成樹脂製ピンセットにおいて、前記コ字状の基部（２２）の基端部（２２ｃ）を、成型収縮によって前記把持先（２３ａ，２３ｂ）の開口間隔に影響を与える厚肉としたことを特徴とする。
【００５８】
この発明に係るピンセットは、挟持片の先端が接近する成形収縮力を発生させ、更に挟持片をストッパに当接させて挟持片の位置ないし姿勢を積極的に規制することができ、それによってピンセットの開口間隔を保持し、合成樹脂製のピンセットでありながら挟持性を向上させることができる。
【００５９】
第２の発明は、前記コ字状の基部（２２）の基端部（２２ｃ）の近傍に開口した窓（２２ａ）を介して前記狭持片（２３，２４）同士を連結する開口間隔調節体（２２ｂ）を形成し、前記開口間隔調節体（２２ｂ）は、成型収縮によって前記把持先（２３ａ，２３ｂ）の開口間隔に影響を与える厚肉としたことを特徴とする。
【００６０】
第３の発明は、前記開口間隔調節体（２２ｂ）と基端部（２２ｃ）との間に開口されている窓（２２ａ）に、前記狭持片（２３，２４）同士を連結する柱（２２ｎ）を形成したことを特徴とする。
【００６１】
第４の発明は、前記把持先（２３ａ，２３ｂ）の近傍に該把持先の横ズレ防止部（２６）を設けており、前記横ズレ防止部は、一方の狭持片（２３）に貫通孔（２６ｅ）を有する受入部（２６ａ）と、該受入部から他方の狭持片（２４）に前記受入部に向けて延長したガイド突起部（２６ｂ）で構成されていることを特徴とする。
【００６２】
第５の発明は、前記ガイド突起部（２６ｂ）に係止突起（２６ｄ）と、受入部（２６ａ）に前記係止突起を固定する固定部（２６ｃ）が設けられていることを特徴とする。
【００６３】
第６の発明は、前記２本の狭持片（２３，２４）の対向面に先端が互いに当接するストッパ片（２５，２５）を突出させて形成したことを特徴とする。
【００６４】
第７の発明は、前記基部（２２）の近傍に肉薄部（２９）ないし幅狭部（２８）を形成したことを特徴とする。
【００６５】
第８の発明は、前記開口間隔調節体（２２ｂ）の肉厚を基端部（２２ｃ）よりも肉厚としたことを特徴とする。
【００６６】
第９の発明は、金型内で前記基端部（２２ｃ）の近傍に前記２本の狭持片（２３，２４）に連結された前記把持先（２３ａ，２３ｂ）の開口間隔調節体（２２ｂ）を一体的に形成したピンセットを成型し、前記金型内で成型されたピンセットを排出し、前記開口間隔調節体が内蔵している収縮力によって前記受入部（２６ａ）にガイド突起部（２６ｂ）を嵌入させたことを特徴とする。
【発明を実施するための最良の形態】
【００６７】
次に、図面を参照して本発明の実施の形態を説明する。
（実施例１：操作性の向上）
図１〜７は、本発明に係るピンセットの第１の実施例を示している。図１はピンセット２０の側面図で、このピンセット２０の本体は基部２２より２本の狭持片２３，２４を鋭角的な略Ｖ字形ないし松葉形に延長し、そして前記基部２２は窓２２ａと開口間隔調節体２２ｂと基端部２２ｃとによって構成されている。また、前記狭持片２３，２４の先端には細い横溝などの滑り防止手段を設けた把持先２３ａと２３ｂとが対面して形成されている。
【００６８】
また、前記狭持片２３，２４の対向面には、この狭持片２３，２４の拡開位置を規制するためのストッパ２５，２５が両狭持片２３，２４の内面より対向して設けられている。
【００６９】
図６は、基部２２の部分拡大断面図を示す。（Ａ）は、開口間隔調節体２２ｃにより構成される基部２２を示している。この開口間隔調節体２２ｂは、狭持片２３，２４の断面よりも大きい断面を有しており、ピンセット２０を射出成型した後に、前述の「成型収縮力」によって把持先２３ａ，２３ｂの間隔が狭められるようになっている。そして、前記把持先２３ａ，２３ｂが接近すると、狭持片２３，２４の基部２２側に設けたストッパ２５，２５同士が当接するので、把持先２３ａ，２３ｂの開口間隔が所定の間隔に保持される。
【００７０】
図６（Ｂ）は、基部２２は、開口間隔調節体２２ｂと基端部２２ｃとを有しているものを示す。
【００７１】
図６の（Ｃ）は、基部２２は、開口間隔調節体２２ｂと小柱２２ｎと基端部２２ｃと窓２２ａとを有しているものを示す。この場合も開口間隔調節体２２ｂは、狭持片２３，２４及び小柱２２ｄ、開口間隔調節体２２ｃよりも大きい断面積を有している。図（Ｂ）及び（Ｃ）の場合も図（Ａ）と同様に、成型収縮力により把持先２３ａ，２３ｂが狭まるようになっている。
【００７２】
図７は、前記基部２２の平断面図を示している。図（Ａ）は、開口間隔調節体２２ｂと基端部２２ｃとは分離されており、開口間隔調節体２２ｂの断面積がかなり大きいものを示している。図（Ｂ）は、基端部２２ｃから延長され、先端側が拡大されている開口間隔調節体２２ｂを示している。図（Ｃ）は、基端部２２ｃと開口間隔調節体２２ｂとが橋状に連結されているものを示す。図（Ｄ）は、把持先２３ａ，２３ｂ側に大径の柱状の開口間隔調節体２２ｂ、基端部２２ｃ側に小径の柱２２ｎを有しているものを示している。図（Ｅ）は、図６の（Ｂ）の平断面を示している。
【００７３】
そして、成型収縮力は、基端部２２ｃの厚みが薄い場合は大きく、厚みが大きい場合は小さくなる傾向があったので、例えば、基端部２２ｃの肉厚を２ｍｍとし、開口間隔調節体２２ｂの肉厚を１０ｍｍとした場合と、基端部２２ｃの肉厚を１０ｍｍとし、開口間隔調節体２２ｂの肉厚を２０ｍｍとした場合では、前者の方が成型収縮力が大きくなった。
【００７４】
また、開口間隔調節体２２ｂと基端部２２ｃとの間の間隔（窓２２ａ）は、前記基端部２２ｃの肉厚と同等かそれ以上である場合に成型収縮力が大きくなった。
【００７５】
通常、基端部２２ｃは、１〜８ｍｍの厚みに形成され、開口間隔調節体２２ｂは４〜１５ｍｍの厚みに形成されている。前記窓２２ａは、５〜１５ｍｍ、通常は３〜１０ｍｍに形成されている。
【００７６】
本実施例においては、基端部２２ｃは２ｍｍの厚み、開口間隔調節体２２ｂは８ｍｍの厚み、窓２２ａの幅は５ｍｍの開口に形成されている。また、前記開口間隔調節体２２ｂは、基端部２２ｃの肉厚よりも１．５から１０倍の厚肉とすると、比較的大きな成型収縮力を発揮する。なお、開口間隔調節体２２ｂは、図７に示される形状に限定されるものではない。
【００７７】
図１及び図５は、本実施例１のピンセット２０の成型直後の状態を示す。射出成型時および成型直後は、図１に示すようにストッパ２５，２５同士は離れているが、金型からピンセット２０を排出すると、成型収縮により直ぐに図３に示すようにストッパ２５，２５同士が当接するようになっている。
【００７８】
前記ストッパ２５，２５は、一方のストッパ２５の先端に突起を設け、他方のストッパ２５の先端に前記突起を受入れる嵌合凹部を設けた嵌合構造としてもよい。また、２枚のガイド板の間にガイドされる構造としたり、通常のピンチ構造や、細い金属棒を貫通させたヒンジとすることもできる。ストッパの当接部分に嵌合構造を設けると、ピンセット２０の操作部Ｍを操作すると両ストッパ２５，２５同士が嵌合状態となり、該ストッパ２５，２５の横ズレと前後のズレとが同時に防止され、結果、把持先２３ａ，２３ｂの横ズレと前後のズレとが防止され、ピンセットの先端部の精度を向上させることができる。
【００７９】
（実施例２：把持先の横ズレ防止）
次に、本発明に係るピンセットの第２の実施例について説明する。
【００８０】
このピンセット２０は、実施例１（図１）の構成を基本とし、図８及び図１２に示すように把持先２３ａ，２３ｂの近傍に横ズレ防止部２６が設けられている。この横ズレ防止部２６は、両狭持片２３，２４の対面側に設けられており、一方の狭持片２３に２枚の案内板３０ａを有し貫通孔２６ｅが設けられた受入部２６ａと、他方の狭持片２４から突出して延長されたガイド突起部２６ｂが設けられている。
【００８１】
前記ガイド突起部２６ｂが２枚の案内板３０ａの間に挿入されて横方向の動きを制限し、狭持片の先端に設けられている把持先２３ａ，２３ｂ同士の横ズレを生じないようになっている。
【００８２】
このピンセット２０により物体を把持すると、図１１に示すように前記ガイド突起部２６ｂが受入部２６ａの貫通孔２６ｅを貫通し、把持先２３ａ，２３ｂの横ズレが確実に防止されており、物体の把持・移動・開放を繰り返して行っても把持先２３ａ，２３ｂがズレることなく連続して使用することができる。また、横ズレが生じないようになっているので、精密な電子部品を取扱う際の操作性が向上している。医療用分野においても、物体をピンセットの把持先で把持した際に該把持先がズレることがないので信頼性も向上している。
【００８３】
（実施例３：把持先の位置決め）
次に、本発明に係るピンセットの第３実施例について図面を参照して説明する。
【００８４】
このピンセット２０は、実施例１（図１）の構成を基本とし、図１３及び図１４に示すように前記把持先２３ａ，２３ｂの近傍には、この狭持片２３，２４の横ズレ防止部２６が設けられている。
【００８５】
この横ズレ防止部２６は、図１４〜図１７に示すように前記把持先２３ａと２３ｂの開口間隔を段階的に位置決めし、この状態を保持するためのものである。この横ズレ防止部２６の一方の部材は２枚の板３０ａを平行に植立させた受入部２６ａと、この受入部２６ａ内に挿入されて位置決めされるガイド突起部２６ｂで構成されている。
【００８６】
前記受入部２６ａの一方の板に窓２６ｆが開口された固定部２６ｃが形成されており、また、ガイド突起部２６ｂの前記窓２６ｆに対面する側には断面が三角状の係止突起２６ｄが形成されている。そして前記受入部２６ａには前記ガイド突起部２６ｂが貫通する孔２６ｅが設けられている。
【００８７】
（成形したピンセット状態）
図１４と図１８（Ａ）とが対応する横ズレ防止部２６の側面図と断面図であり、また、図１８（Ｂ）は図１４におけるストッパ２５の状態を示している。これらの図は、金型内のキャビティあるいは金型内で成形された直後のピンセット２０を示している。この状態では受入部２６ａの固定部２６ｃとガイド突起部２６ｂとの対向する先端部の間に間隙（δ）が形成されており、また、２本のストッパ２５の先端部の間にも間隙（α）が形成されている。
【００８８】
（金型より排出した直後のピンセットの状態）
図１４は金型より排出された直後のピンセット２０の状態を示し、図１８（Ａ）に横ズレ防止部２６の断面を示している。ピンセット２０が図示しない金型より排出されると、前記図２３〜図２９を参照して基部（図２３のＫ、図１の２２）の「成形収縮」による部材が変化する状態を説明したように、成形直後の基部２２の成形された直後に発生する収縮によって挟持片２３，２４の間隔が狭まり、把持先２３ａ，２３ｂの間隔が（β）から縮小してくるが、この基部２２の近傍にある２本のストッパ２５の先端が当接することによって前記収縮に伴う変形が阻止されて前記把持先２３ａ，２３ｂの間隔は（γ）となる。
【００８９】
この状態になると、横ズレ防止部２６は図１６及び図１９に示すように２枚構成の受入部２６ａの間にガイド突起部２６ａの先端部が押入された状態となる。
【００９０】
本実施例により、綿球等の物体や半導体の部品等をピンセットの先端部に保持した状態を維持することができる。
【００９１】
このように構成されたピンセット２０は、図１７及び図２０に示すように、把持先２３ａ，２３ｂに物体を保持した状態を維持することができ、綿球等を摘んだ状態での消毒や、半導体等の精密部品の長時間に亘る保持等を行うのに適している。
【００９２】
（実施例４：繊細な操作性の向上）
図２３〜図２５は本発明に係るピンセットの第４の実施例を示している。この実施例は、ストッパ２５と開口間隔調節体２２ｂとの間に弾性力発生部Ｆを形成したものである。この弾性力発生部Ｆは、図２３に示す如く、狭持片２３，２４の幅を狭くする円弧状の幅狭部２８が形成されている。
【００９３】
この弾性力発生部Ｆは、図２５に示すように把持先２３ａ，２３ｂに物体を挟む操作を行った際に、略へ字形状に弾性変形する。そして、弾性変形によって生じた弾性力がこの弾性力発生部Ｆに蓄積され、使用者が操作部にかける力を緩めたときに把持先２３ａ，２３ｂが軽い力で離反するようになっている。
【００９４】
そして、このピンセット２０は、物体を把持する際に、前記弾性力発生部Ｆが比較的容易に変形するようになっており、この弾性力発生部Ｆにより蓄えられた弾性変形力により前記把持先２３ａ，２３ｂの接近・離反が自在になっている。しかも、把持先２３ａ，２３ｂに把持された物体に加わる把持力が使用者の手指に敏感に伝わるようになっている。
【００９５】
なお、前記弾性力発生部Ｆは、前記のように狭持片の板の幅を狭めたり、厚みを薄くしたり、凹条を設けたり、あるいは筋や溝や力骨の有無などの変化を利用して、目的とする柔らかさや、指先で物体を摘んでいるような感覚を感ずることのできるように調整することができる。例えば、図２４に示すように狭持片２３，２４の対向面側に凹部２９を設けても良い。この場合はピンセット２０の外観を変更することなく弾性応力発生部Ｆを設けることができる。
【００９６】
（耐熱性・耐摩耗性）
このピンセットは熱可塑性合成樹脂により成形されているので、例えば、電子部品をピンセットで把持して基板上に保持し、半田付けや銀蝋付けを行うと、その熱により把持先が変形したり、融けたりすることがある。また、薬品等を取扱う場合に、ピンセットの合成樹脂中の有機物が溶出したり、場合によってはピンセットが薬品により溶けてしまうことがある。また、固い物体を把持すると、把持先が摩耗しやすいという問題もある。
【００９７】
そこで、ピンセットの把持先をアルミナやジルコニア等のセラミックス製とし、このセラミックス製の把持先２３ａ，２３ｂをネジ等の任意の固定手段によりピンセットに取付ければ、耐熱性や耐摩耗性、耐薬品性等を要求される分野で使用できるようにしてもよい。
【図面の簡単な説明】
【００９８】
【図１】本発明に係るピンセットの成型した状態の側面図である。
【図２】図１の平面図である。
【図３】本発明に係るピンセットの成型後の側面図である。
【図４】本発明に係るピンセットの使用状態を示す図である。
【図５】本発明に係るピンセットの成型した状態の斜視図である。
【図６】本発明に係るピンセットの基部の一部拡大側断面図である。
【図７】本発明に係るピンセットの基部の一部拡大平断面図である。
【図８】本発明に係る第２実施例のピンセットの成型した状態の側面図である。
【図９】図８の平面図である。
【図１０】本発明に係る第２実施例のピンセットの成型後の側面図である。
【図１１】発明に係る第２実施例のピンセットの使用状態を示す図である
【図１２】発明に係る第２実施例のピンセットの整形した状態の斜視図である。
【図１３】発明に係る第３実施例のピンセットの成型した状態の斜視図である。
【図１４】発明に係る第３実施例のピンセットの成型した状態の側面図である。
【図１５】図１２の平面図である。
【図１６】発明に係る第３実施例のピンセットの成型後の側面図である。
【図１７】発明に係る第３実施例のピンセットの使用状態を示す図である。
【図１８】（Ａ）は図１のI−I矢視断面図、（Ｂ）は図１のII−II矢視断面図である。
【図１９】図１５のIII−III矢視断面図である。
【図２０】図１６のIV−IV矢視断面図である。
【図２１】図１のV−V矢視断面図である。
【図２２】図１のVI−VI矢視断面図である。
【図２３】本発明に係る第４実施例のピンセットの基端部の側断面図である。
【図２４】本発明に係る第４実施例のピンセットの基端部の平断面図である。
【図２５】本発明に係る第４実施例のピンセットの使用状態における基端部の部分拡大図である。
【図２６】従来の合成樹脂製ピンセットの概略構成図である。
【図２７】成型収縮の原理の説明図である。
【図２８】成型収縮の原理の説明図である。
【図２９】成型収縮の原理の説明図である。
【符号の説明】
【００９９】
１  ピンセット本体
２，３  狭持片
２ａ，３ａ  把持先
４  突起
５  穴
Ｋ  基部
Ｔ  把持域
２０  ピンセット
２２  基部
２２ａ  窓
２２ｂ  開口間隔調節体
２２ｃ  基端部
２３，２４  狭持片
２３ａ，２３ｂ  把持先
２３ｄ，２４ｄ  力骨
２５  ストッパ
２６  横ズレ防止部
２６ａ  受入部
２６ｂ  ガイド突起部
２６ｃ  固定部
２６ｄ  係止突起
２６ｅ  貫通孔
２６ｆ  窓
２８  幅狭部
２９  肉薄部
α，β，γ，δ  間隙
Ｍ  操作部
Ｆ  弾性力発生部
【図１】
2008093241.tif 000003
【図２】
2008093241.tif 000004
【図３】
2008093241.tif 000005
【図４】
2008093241.tif 000006
【図５】
2008093241.tif 000007
【図６】
2008093241.tif 000008
【図７】
2008093241.tif 000009
【図８】
2008093241.tif 000010
【図９】
2008093241.tif 000011
【図１０】
2008093241.tif 000012
【図１１】
2008093241.tif 000013
【図１２】
2008093241.tif 000014
【図１３】
2008093241.tif 000015
【図１４】
2008093241.tif 000016
【図１５】
2008093241.tif 000017
【図１６】
2008093241.tif 000018
【図１７】
2008093241.tif 000019
【図１８】
2008093241.tif 000020
【図１９】
2008093241.tif 000021
【図２０】
2008093241.tif 000022
【図２１】
2008093241.tif 000023
【図２２】
2008093241.tif 000024
【図２３】
2008093241.tif 000025
【図２４】
2008093241.tif 000026
【図２５】
2008093241.tif 000027
【図２６】
2008093241.tif 000028
【図２７】
2008093241.tif 000029
【図２８】
2008093241.tif 000030
【図２９】
2008093241.tif 000031